(57)【要約】【課題】真円形状の上パイプと下パイプで構成された伸縮棒状体の長さの位置決めを迅速的確に行えるようにすること。【解決手段】伸縮棒状体１が真円形状の上パイプ１０と下パイプ２０で構成され、上パイプの調節孔１１に係合する下パイプの弾性状突子２１と同じ水平面状に有色線条２２を形成して上パイプの調節孔から有色線条が視認されるようにする。【選択図】図２
2011067576.tif 000002
【特許請求の範囲】
【請求項１】
真円形状の上パイプと、上パイプ内に挿通される真円形状の下パイプで棒状体が構成され、上パイプの下部に穿った複数個所の調節孔に、下パイプの上部に設けた弾性状突子が係合すると上下のパイプが結合して長さ設定ができる伸縮棒状体の長さ位置決め構造であって、前記弾性状突子と同一水平面状の下パイプ外周面に、上パイプの調節孔から視認される有色線条を備えてなることを特徴とする伸縮棒状体の長さ位置決め構造。
【請求項２】
前記弾性状突子が、下パイプ内側に付設したバネと一体形成されたものであることを特徴とする請求項１記載の伸縮棒状体の長さ位置決め構造。
【請求項３】
有色線条が蛍光色を有し、夜間或いは暗がりからでも上パイプの調節孔から視認可能であることを特徴とする請求項１又は２記載の伸縮棒状体の長さ位置決め構造。
【請求項４】
下パイプの長手方向表面に、前記弾性状突子と同一垂直線上に位置する有色の目安線を設け、該目安線が常時目視できることを特徴とする請求項１〜３のいずれかに記載の伸縮棒状体の長さ位置决め構造。
【発明の詳細な説明】
【技術分野】
【０００１】  本発明は、複数本の部材で構成される伸縮棒状体の長さ位置決め構造に関する。
【背景技術】
【０００２】  一本の棒状体で形成されたステッキ、スキーストック、テントポールなどは長さが決まっているので体型やテントの大きさに応じた長さのものを数種類用意してその中から適当なものを選ぶことになるが、複数本の部材からなる棒状体は体型等に応じて伸縮長さを調節できるため数種類のものを用意する必要がないという利点がある。ところでこのような棒状体には、いずれかの部材に複数個の調節孔が形成され、それと嵌合する他の部材の側に調節孔と係合するバネ付勢されたピンが設けられていて、ピンと合致する調節孔の位置によって棒状体全体の長さ設定をすることができるというものが知られている（例えば特許文献１、２参照）。
【先行技術文献】
【特許文献】
【０００３】
【特許文献１】登録実用新案第３０２１５４８号公報
【特許文献２】登録実用新案第３０５３８２６号公報
【発明の概要】
【発明が解決しようとする課題】
【０００４】  特許文献１は、図５のように小径パイプ５０が大径パイプ５１内に嵌挿可能な２本以上の異径パイプで構成され、異径パイプの断面形状を楕円のような非真円形状となし、大径パイプ５１に穿設した通孔５２内に、小径パイプ５０に付設したラチェットピン５３を突出係止できるようにしたことを主旨としている。この技術によると、パイプ相互が真円ではないため小径パイプ５０を大径パイプ５１に押し込んだときにパイプ同士が回動することがなく、ラチェットピン５３が自動的に通孔５２と合致して外方へと突出することができ、パイプの長さ調節がスムースにできることを特徴としたものである。しかしながらこの複数パイプは真円ではないためあらかじめパイプを楕円形状等に形成することを要するのでそのための製作手数がかゝるという問題に加え、楕円形状にしたことで強度面での不具合と、見栄えが悪くなる不利、及びパイプを手でつかんだときの感触に違和感が生ずるという懸念がある。【０００５】  特許文献２に記載されたものは、図６に示すように長さ調節可能な杖を構成する各シャフト６０の周面の長手方向に沿った一面を平面部６１に構成し、この平面部６１の長手方向に長さ調節後固定するための複数個の通孔６２を穿設し、バネによって付勢されたピン６３を前記通孔６２に係止するというものである。この技術もシャフト６０の長手方向に沿って平面部６１を形成したためシャフト相互が回動せず、押し込んたシャフトのピン６３が平面部６１にあけた通孔６２から間違いなく突出することができるという利点を有するが、シャフト６０に平面部６１を形成するという余分な作業を要するのと、平面部６１が存在することによる強度面の不具合、見栄えや感触の悪さなど前記特許文献１と同様の問題が残ると考えられる。【０００６】  本発明はこのような現状に鑑みてなされたもので、伸縮棒状体を構成する複数本のパイプ部材が真円形状であって下部パイプを上部パイプに押し込む際にパイプ同士が回動しても下部パイプに設けた弾性状突子が上部パイプの所期する調節孔から容易に突出させることのできる長さ位置決め構造を提供することを意図している。
【課題を解決するための手段】
【０００７】  すなわち本発明は、真円形状の上パイプと、上パイプ内に挿通される真円形状の下パイプで棒状体が構成され、上パイプの下部に穿った複数個所の調節孔に、下パイプの上部に設けた弾性状突子が係合すると上下のパイプが結合して長さ設定ができる伸縮棒状体の長さ位置決め構造であって、前記弾性状突子と同一水平面状の下パイプ外周面に、上パイプの調節孔から視認される有色線条を備えてなることを特徴とする。【０００８】  前記弾性状突子が、下パイプ内側に付設したバネと一体形成されたものであることを特徴としている。【０００９】  有色線条が蛍光色を有し、夜間或いは暗がりからでも上パイプの調節孔から視認可能であることを特徴とする。【００１０】  下パイプの長手方向表面に、前記弾性状突子と同一垂直線上に位置する有色の目安線を設け、該目安線が常時目視できることを特徴とする。
【発明の効果】
【００１１】  上パイプには複数個調節孔があり、下パイプを押し込んでその上部に取り付けた弾性状突子を所望する調節孔に係合して突出すれば下パイプの位置決めができて所期する長さの棒状体とすることができる。最下部の調節孔に弾性状突子が係合したときに棒状体は最大長さとなり、最上部の調節孔に弾性状突子が係合したときに棒状体は最小長さとなる。したがって使用者は弾性状突子をどの調節孔に係合すれば適切な長さとすることが出来るかが容易に認識でき、また一旦位置決めしても弾性状突子は指先で簡単に押し込むことができるため下パイプを上パイプに沿って摺動させることで適宜の長さに変更できる。上パイプと下パイプはともに断面真円形状のため下パイプは上パイプ内において回動すると下パイプ摺動時（出入時）に弾性状突子が調節孔に合致しないおそれがあるが、弾性状突子と同一水平面上にある有色線条は調節孔より視認できるので有色線条を確認してその位置で下パイプを回動すれば弾性状突子を所望の調節孔と確実に係合できるため長さの位置決めに手間取ることがなく、従って両パイプを非真円状にしたり長手方向に平坦面を形成して回動を抑止するような製作上の手間もかゝらず、また棒状体全体が真円形状のため見栄えがよく、把持したときの握り感覚にも違和感を生じることがない。【００１２】  調節孔から視認される有色線条を蛍光色とすると、夜間や暗がりであっても調節孔から有色線条が鮮やかな光輝色を発現するため棒状体の長さ調節を容易に行うことができる。【００１３】  下パイプの長手方向表面に弾性状突子と同一垂直線上に有色の目安線を設けると、調節孔に目安線を合わせることで自動的に弾性状突子も調節孔と垂直方向が一致するため弾性状突子と調節孔との係合が一層確実迅速になされる。
【図面の簡単な説明】
【００１４】
【図１】棒状体を構成する上下パイプの接合個所を示し、（ａ）は弾性状突子が上パイプ内に没入している側面図、（ｂ）は弾性状突子が調節孔から突出した正面図である。
【図２】（ａ）は下パイプの要部側面図、（ｂ）は下パイプを上パイプに挿通した要部正面図である。
【図３】下パイプに目安線を設けた上下パイプの正面図である。
【図４】本発明を杖に実施した一例を示す説明図である。
【図５】パイプ相互を楕円形状とした従来例を示し、（ａ）は側面図、（ｂ）は平面図である。
【図６】パイプに平面部を形成した他の従来例を示す斜視図である。
【発明を実施するための形態】
【００１５】  図面に基づき本発明を実施するための形態につき説明すると、図１において１は真円形状の上パイプ１０と下パイプ２０からなる棒状体であり、下パイプ２０は上パイプ１０の内側に挿入されている。上パイプ１０には下部に複数（図では３カ所）の調節孔１１が穿設され、下パイプ２０の上部に取り付けた弾性状突子２１が調節孔１１と係合する。
【００１６】  弾性状突子２１は下パイプ２０内側に取り付けたバネ２１ａと一体的に形成され、バネ２１ａにより外方に向け付勢されていて調節孔１１と合致したときに上パイプ１０より突出する。（ａ）に示すように弾性状突子２１が調節孔１１と合致していない状態では上パイプ１０の内面に圧接されて弾性状突子２１は下パイプ２０に没入するが、下パイプ２０を上パイプ１０に向けて押し込み、弾性状突子２１が調節孔１１に合致するとバネ２１ａの付勢により弾性状突子２１は調節孔１１から飛び出すので、（ｂ）のように下パイプ２０は上パイプ１０と確固結合される。調節孔１１は複数個存在するため最上部のものと弾性状突子２１が合致したとき棒状体１の長さは最も短くなり、最下部の調節孔１１に合致したとき棒状体１は最大の長さに設定される。
【００１７】  上下のパイプ１０・２０は真円形状であり、下パイプ２０は上パイプ１０内で回動可能となるため没入した弾性状突子２１がどの位置にあるかは不分明となるが、本発明では図２（ａ）のように弾性状突子２１と同一水平面状の下パイプ２０の外周面に有色線条２２を備えることにして、弾性状突子２１の位置を遅滞なく確認できるようにした。すなわち長さ調節にあたり下パイプ２０を摺動すると有色線条２２がいずれかの調節孔１１と一致することが分かる。例えば（ｂ）の点線で示した個所に弾性状突子２１があっても、調節孔１１からは有色線条２２が視認されるとその位置で下パイプ２０を左右いずれかに回動すれば弾性状突子２１は自ずから調節孔１１と係合して突出するので上下パイプ１０・２０の調節ができて棒状体１の長さの位置決めができる。有色線条２２は当然ながら上下パイプ１０・２０とは異なる色彩で調節孔１１から視認しやすいものとするが、暗がりや夜間に長さの調節をする必要性があると考えられる場合には、有色線条２２を蛍光色のものにすると、調節孔１１からピカっと鮮やかな光輝色を発現するので夜目にも視認することができて好ましい。
【００１８】  図３は下パイプ２０の長手方向表面に、前記弾性状突子２１と同一垂直線上に位置する有色の目安線２２を設けた例を示す。前記有色線条２２は下パイプ２０の上下方向を調節する際の目印となるものであるが、その場合弾性状突子２１の水平位置は分かるがどの個所で調節孔１５と合致するかは下パイプ２０を左右方向に回動する必要があるところ、目安線２３を常時目視できるよう下パイプ２０上に設けたことで目安線２３を調節孔１５と一致させれば弾性状突子２１もおのずから調節孔１５と合致しバネ付勢で飛び出すことができる。つまり有色線条２２によって弾性状突子２１の縦方向の位置が確認でき、目安線２３によって横方向の位置が確認できることで、所望する調節孔１５に弾性状突子２１を可及的速やかに合致することができ、棒状体１の長さの調節がより早く位置決めできる。
【００１９】  図４は本発明を杖に実施した一例を示す。すなわち棒状体１の上パイプ１０には上端に握り３０を備え、下パイプ２０の下端には石突き３１が設けられている。図示のように最下部の調節孔１５に弾性状突子２１が突出しているとき杖の長さは最大に伸張している状態にあり、この状態より一旦弾性状突子２１を指で圧接すると下パイプ２０を上パイプ１０側に押し込むことができる。上パイプ１０と下パイプ２０はともに真円形状のため下パイプ２０を押し込む過程で下パイプ２０は必ずしも真っ直ぐに摺動するとは限らないので所望する調節孔１５に弾性状突子２１が合致しないおそれがあるが、下パイプ２０を動かしていくと調節孔１５に有色線条２２は一致するためその位置で下パイプ２０を左右いずれかに回動すれば弾性状突子２１は調節孔１５に合致してバネ付勢により自動的に突出し、棒状体１の長さが設定できる。また下パイプ２０の上部に前記した目安線２３を設けておくと垂直線上にある弾性状突子２１が調節孔１５と一致しやすくなること勿論である。
【００２０】  なお図示し説明したものは一例であって、調節孔１１の個数・形状、弾性状突子２１・バネ２１ａの構造、有色線条２２・目安線２３の色合いなどに拘束されず、また上下パイプ１０・２０は本数に限定されることはなく、その他構造上の付加事項を設けることも本発明の目的・効果を奏する範囲であれば自由な実施の範疇に属するものである。
【符号の説明】
【００２１】１    棒状体
１０  上パイプ
１１  調節孔
２０  下パイプ
２１  弾性状突子
２２  有色線条
２３  目安線
【図１】
2011067576.tif 000003
【図２】
2011067576.tif 000004
【図３】
2011067576.tif 000005
【図４】
2011067576.tif 000006
【図５】
2011067576.tif 000007
【図６】
2011067576.tif 000008